(57)【要約】【課題】  ダウンライトやスポットライトと使用しても空間意匠性を損なわないスピーカを提供する。【解決手段】  収容部２は、一端部に開口部６を有し、この開口部６に連なる内部が中空である。収容部２の内部中央にコーンスピーカ１４が、開口部６側に向けて放音するように、それの放音部１６を開口部６側に位置させて設けられている。コーンスピーカ１４の周囲に位置するように収容部２内にＬＥＤ２０が設けられている。収容部２内におけるＬＥＤ２０及びコーンスピーカ１４の放音部１６よりも開口部６側に位置するように光透過部２４が設けられている。
2010071102.tif 000002
【特許請求の範囲】
【請求項１】
開口部を有し、この開口部に連なる内部が中空の収容部と、
この収容部の内部に設けられ、前記開口部側に向けて放音するように、放音部が前記開口部側に位置するスピーカユニットと、
前記スピーカユニットの近傍に位置するように前記収容部内に設けられた光源と、
前記収容部内における前記スピーカユニットと前記開口部との間に設けられ、前記スピーカユニットの放音部から放音される音と、前記光源から放射される光とを、前記開口部側に向けて通過させる通過部とを、
具備する照明器具付きスピーカ。
【請求項２】
請求項１記載の照明器具付きスピーカにおいて、前記光源は、前記スピーカユニットの周囲に設けられ、前記通過部は、前記スピーカユニットの放音部の周囲と前記開口部との間に配置され、前記スピーカユニットの放音部の周囲に前記スピーカユニットから放音される音を通過させる開口を有し、光の透過材によって構成されている照明器具付きスピーカ。
【請求項３】
請求項２記載の照明器具付きスピーカにおいて、前記収容部には、内外に貫通する放熱孔が設けられている照明器具付きスピーカ。
【請求項４】
請求項２記載の照明器具付きスピーカにおいて、前記通過部よりも奥の前記収容部内に、前記光源からの光を反射させるための反射手段が、設けられている照明器具付きスピーカ。
【請求項５】
請求項１記載の照明器具付きスピーカにおいて、前記光源は、前記スピーカユニットの放音部の前方に配置され、前記通過部は、前記光源の周囲と前記開口部との間に配置されている照明器具付きスピーカ。
【請求項６】
請求項５記載の照明器具付きスピーカにおいて、前記通過部は、前記光源の周囲から前記開口部に至るまでの所定の地点に設けられた折り返し点までは専ら前記放音部から放音される音を通過させる第１通過部分と、折り返し点から折り返されて前記開口部に至るまでは前記音と前記光源からの光とを通過させる第２通過部分とを、有する照明器具付きスピーカ。
【請求項７】
請求項６記載の照明器具付きスピーカにおいて、前記第２通過部分に反射手段を設けた照明器具付きスピーカ。
【請求項８】
請求項５記載の照明器具付きスピーカにおいて、前記光源は前記通過部が有する支持部に支持され、前記支持部は筒状に形成され、その内部に前記光源が配置され、前記支持部の内面に、前記光源からの光を反射させるための反射手段が、設けられている照明器具付きスピーカ。
【請求項９】
請求項５記載の照明器具付きスピーカにおいて、前記スピーカユニットは、コーンスピーカユニットであり、鳴動時のコーンの振動によって生じる前記コーンスピーカユニットのコーンの最大振幅よりも長い距離を隔てて前記コーンスピーカユニットの放音部と前記光源とが位置している照明器具付きスピーカ。
【請求項１０】
請求項１記載の照明器具付きスピーカにおいて、前記光源がＬＥＤである照明器具付きスピーカ。
【発明の詳細な説明】
【技術分野】
【０００１】
本発明は、スピーカに関し、特に照明器具を備えたものに関する。
【背景技術】
【０００２】
スピーカには、例えば特許文献１に開示されているような天井内に埋め込まれる天井スピーカがある。また、天井に埋め込まれる照明器具として、例えば特許文献２に開示されているようなダウンライトがある。
【先行技術文献】
【特許文献】
【０００３】
【特許文献１】特許第３４６７３２６号
【特許文献２】特開２００８−１６４１７号
【発明の開示】
【発明が解決しようとする課題】
【０００４】
インテリア照明としてダウンライトを複数配置しているような場所で、例えばバックグランドミュージックを流すことがある。このような場合、複数のダウンライトの中に天井スピーカを配置すると、ダウンライトと天井スピーカの天井面に露出している形状が異なるので、空間の意匠性が損なわれる。そこで、ダウンライトに似た外観を持つ天井スピーカ、例えばダウンライトの筐体内に、ライトに代えてスピーカユニットを設けたものを配置することも考えられる。しかし、このスピーカでは、音しか出ないので、このスピーカの近傍にいる人に故障したダウンライトと勘違いされたり、スピーカの近傍だけ空間の明るさが弱いと感じられたりして、人に違和感を与える可能性がある。このようなことはダウンライトだけでなく、天井付近に他の照明器具、例えばスポットライトを複数設けた状態において、この照明器具の筐体を利用してスピーカを設置すれば生じ得る。このように、天井に照明器具とスピーカとを混在させる空間では、意匠性はもちろん、近傍にいる人に与える違和感が問題となる。【０００５】
本発明は、天井またはその付近に設置される照明器具と共に使用しても、空間の意匠性を損なわず、近傍にいる人に違和感を与えることのない照明付きスピーカを提供することを目的とする。
【課題を解決するための手段】
【０００６】
本発明の一態様の照明付きスピーカは、収容部を有している。収容部は、開口部を備え、この開口部に連なる内部が中空のものである。収容部としては、例えば円筒状、角筒状のものや、椀状のものを使用することができ、例えば天井内に埋め込むものや天井付近に設置するものとすることができる。この収容部の内部にスピーカユニットが設けられている。このスピーカユニットは、前記開口部側に向けて放音するように、放音部が前記開口部側に位置する。前記スピーカユニットの近傍に位置するように前記収容部内に光源が設けられている。光源として１つの光源を設けることもできるし、複数の光源を設けることもできる。光源としては、ＬＥＤ、電球、蛍光灯等を使用することができる。前記収容部内における前記スピーカと前記開口部との間に通過部が設けられている。この通過部は、前記スピーカユニットの放音部から放音される音と、前記光源から放射される光とを、前記開口部側に向けて通過させる。【０００７】
このように構成された照明付きスピーカでは、スピーカからの音を、通過部を介して収容部の開口部から外部に放音することができる。さらに、光源からの光も通過部を介して収容部の開口部から放射され、外部を照明する。収容部の外観を、ダウンライトやスポットライトのような天井内または天井付近に配置されている照明器具と類似の形状とすることによって、空間の意匠性を損なうことがなく、また、照明器具と似て照明機能を発揮するため、近傍にいる人に違和感を与えない。【０００８】
前記光源を、前記スピーカユニットの周囲に設けることができる。この場合、光源は１つだけ設けることもできるし、複数の光源を設けることもできる。１つの光源を使用する場合には、環状の光源をスピーカの周囲に配置することができる。複数の光源を使用する場合には、スピーカの周囲を包囲するように複数の光源を配置することができる。前記通過部は、前記スピーカの放音部の周囲と前記開口部との間に配置される。通過部としては、スピーカの放音部の周囲に、スピーカからの音声を通過させる開口を有するものを使用する。この場合、通過部は、光を透過させる材質、例えば半透明や透明な樹脂で全体が構成されたものとすることもできるし、非透過性の材質のもの、例えば金属にメッシュを構成したものとすることもできる。このように構成すると、スピーカからの音は、通過部の開口から収容部の開口部を介して外部に放音することができる。さらに、スピーカユニットの周囲にある光源からの光が通過部を介して収容部の開口部から放射され、外部を照明する。【０００９】
前記収容部には、内外に貫通する放熱孔を設けることができる。このように構成することによって、光源が発生する熱を収容部の外部に効果的に排出することができ、スピーカユニットの特性に熱が悪影響を与えることを防止できる。【００１０】
前記通過部よりも奥の前記収容部内に、前記光源からの光を反射させるための反射手段を設けることもできる。このように反射手段を設けることによって、光源よりも収容部の奥に放射された光を反射して、通過部を介して収容部の開口部から放射することができ、効率的に照明することができる。【００１１】
また、前記光源を、前記スピーカユニットの放音部の前方に配置することができる。この場合、前記通過部は、前記光源の周囲と前記収容部の開口部との間に配置されている。光源を放音部の前方に配置することで、より明度の高い照明器具付きスピーカを提供できる。【００１２】
前記通過部は、前記光源の周囲から前記開口部に至るまでの所定の地点に設けられた折り返し点までは、もっぱら前記放音部から放音される音を通過させる第１通過部分と、折り返し点から折り返されて前記開口部に至るまでは、前記音と前記光源から放射される光とを通過させる第２通過部分とを、有するものとできる。このように構成すると、スピーカユニットからの音は、第１通過部分を介して、第２通過部分に到達し、第２通過部分によって拡散することを防止されて、収容部の開口部から外部に伝搬される。また、光源からの光は第２通過部分によって拡散することを防止されて、収容部の開口部から外部に放射される。【００１３】
更に、前記第２通過部分に反射手段を設けることもできる。これによって、光源からの光は更に拡散することが防止されて、収容部の開口部から外部に放射され、明度を高めることができる。【００１４】
前記光源は、前記通過部が有する支持部に支持されているものとすることができる。この場合、支持部は、筒状に形成され、その内面に前記光源が配置され、前記支持部の内面に、前記光源からの光を反射させるための反射手段が設けられている。このように構成すると、光源からの光のうち支持部の内面に向かった光は、反射手段によって反射され、収容部の開口部に向かい、外部に放射される。従って、効率的に照明することができる。【００１５】
前記スピーカユニットを、コーンスピーカユニットとすることができる。この場合、前記コーンスピーカユニットの鳴動時の振動によって生じる前記コーンスピーカユニットのコーンの最大振幅よりも長い距離を隔てて前記コーンスピーカユニットの放音部と前記光源とが位置している。このように構成すると、コーンスピーカユニットを最大の入力音で鳴動させたときでもコーンが光源にぶつかることを防ぐことができ、音を適切に開口部まで通過させることができる【００１６】
光源をＬＥＤとすることもできる。このように構成することにより、光源を小型化することができ、スピーカと光源とを収容部内に容易に配置することができ、収容部を、ダウンライトやスポットライトの外部形状とほぼ同じ大きさにすることが可能となり、空間の意匠性をより確実に保つことができる。また、ＬＥＤは光源となる他の照明部材よりも発熱量が小さいため、光源から発せられる熱がスピーカユニットの特性に悪影響を与えることを抑えることができる。
【発明の効果】
【００１７】
以上のように、本発明による照明器具付きのスピーカによれば、天井またはその付近に設置される照明器具と共に使用しても、空間の意匠性を損なうことがない。
【図面の簡単な説明】
【００１８】
【図１】図１は本発明の第１実施形態の照明器具付きスピーカの縦断面図である。
【図２】図２は本発明の第２実施形態の照明器具付きスピーカの縦断面図である。
【図３】図２の３−３線に沿う断面図である。
【発明を実施するための形態】
【００１９】
本発明の第１実施形態の照明器具付きスピーカは、例えば商業施設において、複数のダウンライトが取り付けられているような場所に使用されるもので、図１に示すように、収容部２を有している。収容部２は、筒状体、例えば円筒状の周壁部４を有し、その一方の端部が開口部６とされ、他方の端部が内奥壁８によって閉じられている。開口部６の周縁には環状フランジ１０が形成されている。この収容部２は、例えば天井１２に形成された孔内に、開口部６が天井１２の表面側に位置し、フランジ１０が天井１２の表面に接するように、孔内に取り付けられている。この取り付けられた状態において、収容部２が、同じ天井１２に取り付けられているダウンライトと同じに見えるように、開口部６の形状や寸法は、選択されている。
【００２０】
この収容部２内の中心軸線上の内奥壁８側によった位置に、コーンスピーカユニット１４が配置されている。コーンスピーカユニット１４は、本発明のスピーカユニットの一例である。コーンスピーカユニット１４は、その放音部、例えばコーンスピーカユニット１４のコーンの先端にある放音開口１６が、開口部６側を向くように収容部２内に取り付けられている。
【００２１】
収容部２の周壁部４の内面及び内奥壁８の内面には、反射手段、例えば反射膜１８ａ、１８ｂが取り付けられている。この周壁部４の反射膜１８ａ上に、コーンスピーカユニット１４を包囲するように、複数の光源、例えばＬＥＤ２０が取り付けられている。これらＬＥＤ２０は、反射膜１８ａ上に取り付けた環状の帯状体１９上に、その周方向に所定の間隔をそれぞれあけて配置されている。各ＬＥＤ２０は、発光面２１を有し、この発光面２１と反対側の面が帯状体１９に取り付けられている。実際には、帯状体１９上に各ＬＥＤ２０を取り付けた後、帯状体１９を環状にして、反射膜１８ａ上に取り付ける。これによって、発光面２１が、コーンスピーカユニット１４側を向いている。各ＬＥＤ２０は、取り付けられた状態において、発光面２１から開口部６側に向かう光、コーンスピーカユニット１４側及び内奥壁８側に向かう光を放射するように構成されている。このコーンスピーカユニット１４方向及び内奥壁８側に放射された光は、図に示すように反射膜１８ａ、１８ｂによって反射されて、開口部６に向かう。このように、直接に開口部６側に放射される光以外の光も反射させて、開口部６から放射するので、開口部６から均一に光を放射することができる。
【００２２】
これらＬＥＤ２０よりも開口部６側によった位置に、通過部、例えば光透過部２２が設けられている。具体的には、光透過部２２は、コーンスピーカユニット１４の放音開口１６の周縁に、放音開口１６の周縁にほぼ一致する開口２３を有し、この開口２３から、開口部６の周縁まで伸延し、開口部６側の面がパラボラ反射鏡状に湾曲させて形成されている。この構成により、光透過部２２が、コーンスピーカユニット１４の放音開口１６から発せられる音の伝搬を助ける音道としても機能し、コーンスピーカユニット１４からの音は良好に開口部６から外部に伝搬する。光透過部２２は、例えば半透明材料によって構成されている。従って、ＬＥＤ２０からの直接の光や、反射膜１８ａ、１８ｂによって反射された光は、この半透明の光透過部２２を透過して、柔らかい光となって、開口部６から放射される。また、光透過部２２を透過した光には、直接に開口部６から放射されるものの他に、図に符号Ａで示すように光透過部２２を透過した後に、この透過した位置とは別の位置の光透過部２２の表面で一部が反射されて、開口部６から放射されるものがある。一般のダウンライトにおいても、反射部を設けて光を反射させているので、開口部６からの光は、通常のダウンライトからの光と同様になる。
【００２３】
また、内奥壁８の周縁部には、ＬＥＤ２０が発生する熱を、外部に排出するための複数の放熱孔２４が内外を貫通するように設けられている。放熱孔２４としては円孔とすることもできるし、長孔とすることもできる。
【００２４】
このように構成された照明付きスピーカでは、天井に埋め込まれた収容部２の開口部６から音が放出されると共に、開口部６からダウンライトと同様に光が放射されるので、他にダウンライトが使用されているような状況で使用しても、空間の意匠性を損なうことがなく、また、ダウンライトと似た照明機能を発揮するため、このスピーカの近傍にいる人に違和感を与えることがない。特に、光透過部２２を使用しているので、ＬＥＤ２０は、コーンスピーカユニット１４の周囲に配置することができ、通常のダウンライトと同じような大きさの収容部２を使用しても、光源としてのＬＥＤ２０とコーンスピーカユニット１４とを無理なく収容することができる。また、放熱孔２４を設けてあるので、ＬＥＤ２０が発生する熱は放熱孔２４から天井１２内に効果的に排出され、コーンスピーカユニット１４の特性が、ＬＥＤ２０の発熱の影響を受けにくくなる。
【００２５】
本発明の第２実施形態の照明器具付きスピーカを図２及び図３に示す。第２実施形態の照明器具付きスピーカも、第１実施形態の照明器具付きスピーカと同様な収容部１０２を備えている。収容部１０２は、筒状体、例えば円筒状の周壁部１０４と、開口部１０６と、内奥壁１０８と、環状フランジ１１０とを有している。この収容部１０２も、例えば天井に形成された孔内に、第１実施形態の収容部１０２と同様に取り付けられ、この取り付けられた状態において、収容部１０２が、同じ天井に取り付けられているダウンライトと同じに見えるように、開口部１０６の形状や寸法が、選択されている。
【００２６】
この収容部１０２内の中心軸線上の内奥壁１０８側によった位置に、スピーカユニット、例えばコーンスピーカユニット１１４が配置されている。コーンスピーカユニット１１４は、その放音部、例えばコーンスピーカユニット１４のコーンの先端にある放音開口１１６が、開口部１０６側を向くように収容部１０２内に取り付けられている。この取り付け状態において、コーンスピーカユニット１１４は、その外周縁部が周壁部１０４に接するように取り付けられている。
【００２７】
このコーンスピーカユニット１１４の前方の収容部１０２内に、収容部１０２の中心軸線上に位置するように支持部１３０が設けられている。支持部１３０は、コーンスピーカユニット１１４よりもかなり小さい筒状、例えば円筒状に形成され、それの開口部１０６側の端部１３２が開口したものである。支持部１３０の内面全域に反射手段、例えば反射膜１３４が形成されている。
【００２８】
この支持部１３０の内奥壁にソケット１３６が取り付けられ、このソケット１３６に光源、例えばＬＥＤ１２０が取り付けられている。ＬＥＤ１２０は電球型のもので、支持部１３０の端部１３２から光を開口部１０６側に放射するものである。また、ＬＥＤ１２０からの光は、反射膜１３４側にも放射され、反射膜１３４で反射された光も、支持部１３２の端部１３３から開口部１０６側に放射される。なお、符号１３８で示すのは、ソケット１３６の端子で、これは図示していないリード線を介して収容部１０２の外部に設けられた電源部（図示せず）に接続されている。
【００２９】
支持部１３０の外周から収容部１０２の開口部１０６にわたって通過部１３０が配置されている。通過部１３０は、支持部１３０の外周から収容部１０２の内周面の近傍の折り返し点１４０まで、コーンスピーカユニット１１４の放音開口１１６と略平行に延伸している第１通過部分１４２を有し、折り返し点１４０で折り返されて、開口部１０６にかけて延伸する第２通過部分１４４を有している。
【００３０】
第１通過部分１４２には、図３に示すように複数の支持腕１４６が、互いに間隔をあけて、例えば等しい間隔をあけて、支持部１３２と一体に設けられ、支持部３２を支持している。これら支持腕１４６は、直線状に収容部１０２の内面側に向かって折り返し点１４０まで伸びている。各支持腕１４６の間の空間には、図２に示すように音を通過させるためのメッシュ１４８が設けられている。なお、図３では、メッシュ１４８を省略してある。第１通過部分１４２において、各支持腕１４６の間の空間をメッシュ１４８を介してコーンスピーカユニット１１４から拡声された音声が通過して、開口部１０６から外部に伝搬する。なお、支持部１３０の内奥の外面は、コーンスピーカユニット１１４が備えるコーンの最大振幅（図２に破線で示す）の頂点位置よりもコーンスピーカユニット１１４から離れた位置に位置している。つまり、支持部１３０とコーンスピーカユニット１１４とは図２中の矢印で示す距離よりも離間して配置されている。なお、コーンの最大振幅とは、許容される最大の音声信号が入力されて鳴動する際に振動するコーンの振動幅である。
【００３１】
通過部１３０の第２通過部分１４４は、上述した折り返し点１４０に上端の開口を有し、収容部１０２の開口部１０６に下端の開口を有する中空の円錐台状に形成されている。第２通過部分１４４の内周面全域には、反射膜１５０が形成されている。反射膜１５０は、支持部１３２の内面に配された反射膜１３４と同じ材質とすることができる。第２通過部分１４４においては、その内壁を、コーンスピーカユニット１１４から拡声された音声と、ＬＥＤ１２０から放たれる光とが拡散することなく開口部１０６に向けて伝搬する。特に反射膜１３１を設けたことで、第２通過部分１４４の内壁における光の反射効率を高めることができる。
【００３２】
この照明器具付きスピーカによれば、コーンスピーカユニット１１４から放音された音声は、第１通過部分１４２における支持腕１４６間の間隔（メッシュ１４８）と第２通過部分１４４の内壁とを通過して、放音部１０６から外部に放音される。また、ＬＥＤ１２０からの光は支持部１３２の開口から開口部１０６へ直接放射される以外に、第２通過部分１４４の内壁を介して外部に放射される。また、上記第２の実施形態では、ソケット１３６に取り付けられるＬＥＤ１２０としたことで、ＬＥＤ１２０の交換が容易に行える。
【００３３】
第２実施形態の照明器具付きスピーカでは、ＬＥＤ１２０が開口部１０６に近い位置に設置されているので、開口部１０６から放射される光量を第１実施形態の照明器具付きスピーカよりも増加させることができる。その代わりにコーンスピーカユニット１１４は、ＬＥＤ１２０の後方に位置するが、コーンスピーカユニット１１４からの音声は、各支持腕１４０間の間隔を介して開口部１０６に到達するので、ＬＥＤ１２０やその支持部１３２及び支持腕１４０が、放音の障害となることはない。
【００３４】
上記の第１及び第２実施形態では、収容部２、１０２に円筒状のものを使用したが、これに限ったものではなく、角筒状のものを使用することもできるし、椀状のものを使用することもできる。
【００３５】
上記の第１の実施形態では、反射膜１８ａ、１８ｂを収容部２の内面に設けたが、例えば収容部２を金属製とし、その内面を光を反射するように鏡面仕上げして、反射手段とすることも可能である。同様に、第２実施形態において、支持部１３２の内面及び第２通過部分１４４の内壁に反射膜１３４及び１５０をそれぞれ設けたが、支持部１３２や第２通過部分１４４の内壁を金属製とし、その内面を光を反射するように鏡面仕上げして、反射手段とすることもできる。
【００３６】
上記の第１実施形態では、複数のＬＥＤ２０を光源として使用したが、これに限ったものではなく、例えば環状の蛍光灯のようなものを１つだけ光源としてコーンスピーカユニット１４の周囲に設けることもできる。同様に、第２実施形態において１つの電球型のＬＥＤ１２０を使用したが、これに限ったものではなく、複数個の電球型のＬＥＤ１２０を使用することもできるし、電球型のＬＥＤ１２０に代えて、支持部１３２内に第１実施形態で示した複数のＬＥＤ２０を環状に設けることもできるし、環状の蛍光灯を使用することもできる。
【００３７】
また、第１実施形態では、例えば同時に使用されるダウンライトの光に応じて、ＬＥＤ２０から発する光量を調整するため、使用するＬＥＤ２０の数を増減させることもできる。例えば１つだけＬＥＤ２０を設けることがあってもよい。或いは、複数のＬＥＤ２０のうち所望のもののみを発光させるように制御して光量を調整してもよい。また上記の第１実施形態では、各ＬＥＤ２０は、発光面２１がコーンスピーカユニット１４側を向くように取り付けたが、発光面２１が開口部６側を向くように、傾斜させて各ＬＥＤ２０を設けることもできる。
【００３８】
上記の第１実施形態では、光透過部２２を半透明性の材料で構成したが、これに限ったものではなく、例えば遮光性材料、例えば金属板に多数の小孔を設けることにより、メッシュ状に構成したものを使用することもできる。また、光透過部２２は、その表面がパラボラ反射鏡状に湾曲させたものを使用したが、これに限ったものではなく、コーンスピーカユニット１４の放音開口１６の周囲から開口部６の周囲まで直線状に伸びる円錐台状の光透過部を使用することもできる。また、光透過部２２としてフレネルレンズを使用することもできる。
【００３９】
第２実施形態では、支持腕１４６は支持部１３２から折り曲げ点１４０まで延伸する構成のものを使用したがこれに限ったものではなく、折り曲げ点１４０で折り曲げて開口部１０６まで延伸するものを使用することもできる。また、そもそも支持腕１４６を設けずに第１通過部分１４２を全周メッシュ１４８で覆うようにしてもよい。メッシュ１４８は、繊維、樹脂、金属など、様々な素材を加工することで形成することができる。また、支持部１３２は円筒状のものを示したが、これに限ったものではなく、例えばパラボラ反射鏡状のものとすることもできる。また、折り返し点１４０は、支持部１３２から開口部１０６に至るまでの適当な地点でよく、第１通過部分１４２による音声の通過と、第２通過部分１４４による音声及び光の通過との兼ね合いから当業者が最適な地点を選択すればよい。
【００４０】
第２実施形態では、支持部１３０を、支持腕１４６によって通過部１４２に固定したが、別途支持腕を設け、収容部１０２の内面に固定することもできる。この場合、支持腕１４６を除去することができる。
【００４１】
上記の第１及び第２実施形態では、収容部２、１０２はダウンライトと共に使用することを前提として天井内に埋め込み可能に構成したが、ダウンライト以外の照明器具、例えばスポットライトと共に使用する場合には、同時に使用されるスポットライトの筐体と同様な大きさ及び形状の収容部２、１０２を使用する。この場合、スポットライトから放射される光と同様な光を放射するように、例えば第１実施形態では光透過部２２を半透明ではなく、透明な材料性としたり、ＬＥＤ２０の個数を調整したりすればよい。第２実施形態の場合では、ＬＥＤ１２０を開口部１０６の近傍に設置しているので、そのまま使用することができる。
【００４２】
以上のように、本発明によれば、いかなる照明器具の筐体を利用しても、空間の意匠性を損なうことなく、空間にいる人に違和感を感じさせることがないスピーカを提供することができる。また、選択される筐体のサイズに合う限り使用するスピーカユニット（実施形態ではコーンスピーカユニット１４）の形状に依らないため、特別なスピーカユニットを製作することなく、汎用のスピーカユニットを使用することができる。
【図１】
2010071102.tif 000003
【図２】
2010071102.tif 000004
【図３】
2010071102.tif 000005
【国際調査報告】
2010071102.tif 000006
2010071102.tif 000007
2010071102.tif 000008
2010071102.tif 000009